(57)【要約】【課題】年間を通して室内における外部からの光と熱を快適に保つことができる日除け装置を提供する。【解決手段】室内に隣接するベランダ３０の天井部３３または軒先に、その外縁端に沿って設置される収納部２と、この収納部から下方へ出し入れ自在に、収納部へ収納されるシェード部材３と、収納部の内部に設置され、シェード部材を巻き取りおよび巻き出し可能な駆動軸４と、シェード部材を巻き出して収納部から下降させるように駆動軸を制御し、シェード部材を巻き取り収納部に収納するように駆動軸を制御する制御手段１０とを備え、シェード部材は、外光を遮る遮光状態と、外光を屈折または反射させ室内に導く採光状態とを切り替え可能であることを特徴としている。【選択図】図１
2017053104.tif 000002
【特許請求の範囲】
【請求項１】
室内に隣接するベランダの天井部または軒先に、その外縁端に沿って設置される収納部と、
この収納部から下方へ出し入れ自在に、前記収納部へ収納されるシェード部材と、
前記収納部の内部に設置され、前記シェード部材を巻き取りおよび巻き出し可能な駆動軸と、
前記シェード部材を巻き出して前記収納部から下降させるように前記駆動軸を制御し、前記シェード部材を巻き取り前記収納部に収納するように前記駆動軸を制御する制御手段とを備え、
前記シェード部材は、外光を遮る遮光状態と、前記外光を屈折または反射させ前記室内に導く採光状態とを切り替え可能であることを特徴とする日除け装置。
【請求項２】
前記シェード部材は、前記外光を散乱させる散乱状態と、前記外光を透過させる透過状態とを電気的に切り替えることで、前記遮光状態と前記採光状態とを切り替えることを特徴とする請求項１に記載の日除け装置。
【請求項３】
前記シェード部材は、透過率を電気的に切り替えることで、前記遮光状態と前記採光状態とを切り替えることを特徴とする請求項１に記載の日除け装置。
【請求項４】
前記シェード部材は、鏡面または散乱面を有する複数個のルーバーを備え、前記ルーバーの角度を調節することで、前記遮光状態と前記採光状態とを切り替えることを特徴とする請求項１に記載の日除け装置。
【請求項５】
前記シェード部材として、前記外光を遮る遮光状態とするための第１シェード部材と、前記外光を屈折または反射させ前記室内に導く採光状態とするための第２シェード部材とを備え、
前記第１シェード部材を前記収納部から巻き出した前記遮光状態と、前記第２シェード部材を前記収納部から巻き出した前記採光状態とを切り替えることを特徴とする請求項１に記載の日除け装置。
【請求項６】
前記シェード部材は、紫外線カット、赤外線カット、またはその両方の機能を有することを特徴とする請求項１から５のいずれか一項に記載の日除け装置。
【請求項７】
日射量を検知する日射量検知手段を備え、
前記制御手段は、前記日射量検知手段が検知した日射量に応じて、前記遮光状態と前記採光状態とを切り替えることを特徴とする請求項１から６のいずれか一項に記載の日除け装置。
【発明の詳細な説明】
【技術分野】
【０００１】
本発明は、日除け装置に関する。
【背景技術】
【０００２】
従来、夏場の強い日射による光や熱を遮蔽するために、住宅、アパート、マンションなどの建物におけるベランダや軒下に日除け装置を設置することが提案されている（特許文献１参照）。この日除け装置は、ベランダの天井部または軒先に、その外縁端に沿って設置された収納部から、日除けのためのシェード部材を下方へ出し入れ自在にしたものである。
【先行技術文献】
【特許文献】
【０００３】
【特許文献１】特開平１０−２８０８４２号公報
【発明の概要】
【発明が解決しようとする課題】
【０００４】
しかしながら、従来の日除け装置は遮光機能が主であり、冬場などのように外部からの光や熱を室内に取り込みたい時期には、利用価値に乏しいものであった。
【０００５】
本発明は、以上の通りの事情に鑑みてなされたものであり、年間を通して室内における外部からの光と熱を快適に保つことができる日除け装置を提供することを課題としている。
【課題を解決するための手段】
【０００６】
上記の課題を解決するために、本発明の日除け装置は、室内に隣接するベランダの天井部または軒先に、その外縁端に沿って設置される収納部と、この収納部から下方へ出し入れ自在に、収納部へ収納されるシェード部材と、収納部の内部に設置され、シェード部材を巻き取りおよび巻き出し可能な駆動軸と、シェード部材を巻き出して収納部から下降させるように駆動軸を制御し、シェード部材を巻き取り収納部に収納するように駆動軸を制御する制御手段とを備え、シェード部材は、外光を遮る遮光状態と、外光を屈折または反射させ室内に導く採光状態とを切り替え可能であることを特徴としている。
【発明の効果】
【０００７】
本発明によれば、年間を通して室内における外部からの光と熱を快適に保つことができる。
【図面の簡単な説明】
【０００８】
【図１】本発明の日除け装置の一実施形態を示す斜視図であり、ベランダに設置した状態を示す。
【図２】図２の日除け装置の側面図であり、ベランダに設置した状態を示す。（ａ）は採光状態、（ｂ）は遮光状態を示す。
【図３】図３の日除け装置のシェード部材を部分的に示す縦断面図であり、（ａ）は採光状態、（ｂ）は遮光状態を示す。
【図４】本発明の日除け装置の別の実施形態を示し、シェード部材を部分的に示す縦断面図である。（ａ）は採光状態、（ｂ）は遮光状態を示す。
【図５】本発明の日除け装置の別の実施形態を示し、シェード部材を部分的に示す縦断面図である。（ａ）、（ｃ）は採光状態、（ｂ）、（ｄ）は遮光状態を示す。
【図６】本発明の日除け装置の別の実施形態を示し、シェード部材を部分的に示す縦断面図である。（ａ）は採光状態、（ｂ）は遮光状態を示す。
【図７】本発明の日除け装置の別の実施形態を示し、シェード部材を部分的に示す縦断面図である。（ａ）は採光状態、（ｂ）は遮光状態を示す。
【発明を実施するための形態】
【０００９】
以下に、図面を参照しながら本発明の実施形態について説明する。
（第１実施形態）
図１〜図３は、本発明の日除け装置の一実施形態を示したものである。
【００１０】
図１および図２に示すように、本実施形態の日除け装置１は、住宅などの建物におけるベランダ３０に設置されている。
【００１１】
ベランダ３０には、外面の腰壁３２と天井部３３の外縁端との間に、外部空間へ開放された開口部３４が形成されている。また、開閉可能な窓３１を通じて室内から外部を眺望できるように構成され、必要に応じて室内への採光や通風などを十分に行うことができる。
【００１２】
本実施形態の日除け装置１は、室内に隣接するベランダ３０の天井部３３または軒先に、その外縁端に沿って設置される収納部２と、収納部２から下方へ出し入れ自在に、収納部２へ収納されるシェード部材３を備えている。日除け装置１は、収納部２の内部に設置され、シェード部材３を巻き取りおよび巻き出し可能な駆動軸４を備えている。また、シェード部材３を巻き出して収納部２から下降させるように駆動軸４を制御し、シェード部材３を巻き取り収納部２に収納するように駆動軸４を制御する制御手段１０を備えている。そして日除け装置１は、シェード部材３が、外光１５を遮る遮光状態と、外光１５を屈折または反射させ室内に導く採光状態とを切り替え可能であることを特徴としている。
【００１３】
図１および図２に示すように、日除け装置１の収納部２は、ベランダ３０の天井部３３に、その外縁端に沿って設置されている。なお外縁端の部分であれば、やや窓３１側に寄った部分に設けられていてもよい。この収納部２は、シェード部材３および駆動軸４を収納可能な空洞を有する長軸形状である。その長手方向は、ベランダ３０の腰壁３２とほぼ等幅とされ、ベランダ３０の開口部３４の全体をシェード部材３で覆うことができるようにしている。もちろん、ベランダ３０の開口部３４の一部をシェード部材３で覆うようにしてもよい。
【００１４】
収納部２は、日除け装置１の電源として太陽電池や蓄電池を使用することにより、室内へ電源コードを導入する等の配線施工をせずとも、固定金具などを用いてベランダ３０の天井部３３に簡便に後付けできるようになっている。
【００１５】
シェード部材３は、収納部２から下方へ出し入れ自在に、収納部２へ収納される。シェード部材３は図３に示すように、液晶シャッター２０と、プリズム２２とを備えている。
【００１６】
液晶シャッター２０は、駆動軸４に巻き取れる程度の可撓性を備えていればよく、液晶乳剤と良伝導電体をプラスチックシート上に伸展したものや、高分子分散型液晶フィルムを電極フィルムで挟み込んだ構造のものなどが挙げられる。液晶シャッター２０への印加電圧のオン、オフによって透過状態と散乱状態とを電気的に切り替えることができる。また、コントローラを設置して液晶シャッター２０への印加電圧を変調することによって、透過状態から散乱状態へと連続的に変化させ、採光状態から遮光状態への連続的な切り替えをすることもできる。
【００１７】
プリズム２２は、シェード部材３が駆動軸４に巻き取れる可撓性を備えることのできるものであればよく、例えば、プリズムの角度を平面上に並べた微細パターンを表面に有する可撓性のプリズムシートなどが挙げられる。
【００１８】
液晶シャッター２０とプリズム２２のシートは、液晶シャッター２０が屋外側の面、プリズム２２のシートが屋内側の面となるように、これらが貼り合わせられてシェード部材３を構成している。
【００１９】
シェード部材３は、液晶シャッター２０の電気的な切り替えによって、図３（ａ）に示すように、外光１５を透過させる透過状態とし、外光１５を屈折または反射させ室内に導く採光状態とすることができる。このとき外光１５は、屋外側の面の液晶シャッター２０を透過し、プリズム２２によって屈折または反射されて室内に導かれる。これにより、外部からの光や熱を室内に取り込むことができる。
【００２０】
またシェード部材３は、液晶シャッター２０の電気的な切り替えによって、図３（ｂ）に示すように、外光１５を散乱させる散乱状態とし、外光１５を遮る遮光状態とすることができる。このとき外光１５は、屋外側の面の液晶シャッター２０で散乱され、その散乱光の幾らかは透過して、プリズム２２によって屈折または反射されて室内に導かれる。すなわち、外光１５が僅かに室内へ漏れ出すような遮光状態となる。これにより、外部からの光や熱は室内に取り込まれずに遮断することができる。
【００２１】
シェード部材３は、長い帯状で、シェード部材３の短手方向の幅は、収納部２の長手方向とほぼ等しい幅とされている。シェード部材３の長手方向は、その一端が駆動軸４に接続され、他端には錘が設けられている。シェード部材３は、制御手段１０からの信号に基づく駆動軸４の回転によって、この錘の自重により収納部２から下方へ巻き出される。
【００２２】
駆動軸４は、収納部２の内部に設置され、シェード部材３を巻き取りおよび巻き出し可能とされている。このシェード部材３の芯となる回転軸としての駆動軸４は、不図示のモータを備えている。利用者のパネル操作などによって、制御手段１０から信号が出力されて駆動軸４のモータが起動され、シェード部材３を上下に駆動する。すなわち、駆動軸４は、シェード部材３が駆動軸４に巻き取られた収納姿勢と、この収納部２から巻き出された防護姿勢とに切り換えできるように、収納部２の内部に設置されている。
【００２３】
制御手段１０は、利用者のパネル操作などによって、駆動軸４のモータに対して次のように信号の入出力を行う。
【００２４】
本実施形態では、制御手段１０として、日除け装置１に演算制御装置が内蔵されている。演算制御装置、駆動軸４のモータなどの日除け装置１のデバイスの電源には、太陽電池や蓄電池を使用することにより、室内へ電源コードを導入する等の配線施工をせずとも、固定金具などを用いてベランダ３０の天井部３３に簡便に後付けすることができる。もちろん、商用電源を用いることもできる。
【００２５】
演算制御装置は、ＣＰＵ（Ｃｅｎｔｒａｌ Ｐｒｏｃｅｓｓｉｎｇ Ｕｎｉｔ）、ＲＡＭ（Ｒａｎｄｏｍ Ａｃｃｅｓｓ Ｍｅｍｏｒｙ）、ＲＯＭ（Ｒｅａｄ Ｏｎｌｙ Ｍｅｍｏｒｙ）など汎用コンピュータと同様のハードウェアが備えられていてよい。ＣＰＵは、利用者のパネル操作の出力を得たり、駆動軸４のモータに指令信号を与えたりすることができる。
【００２６】
またＲＯＭは、演算制御装置を用いて本実施形態における日除け装置１の機能を実現するためのプログラムや設定データを格納している。このＲＯＭには電気的に書き換え可能なフラッシュメモリを用いることができる。演算制御装置のＣＰＵは、始動時にＲＯＭからＲＡＭにそのプログラムを読み出す。そして、そのプログラムの指令および設定データに従って、本実施形態における日除け装置１の機能を実現する。
【００２７】
プログラムの指令および設定データに従うことにより、演算制御装置は制御手段１０として機能する。制御手段１０は、利用者のパネル操作などに応じて、シェード部材３を巻き出し、シェード部材３を収納するために駆動軸４のモータを制御する。
【００２８】
また本実施形態の日除け装置１は、シェード部材３の収納部２からの下降長さを設定可能な記憶手段を備えている。制御手段１０は、利用者のパネル操作などによって、記憶手段に設定された下降長さの分だけシェード部材３を巻き出すように駆動軸４を制御する。この記憶手段は、上記のようなＲＯＭやＲＡＭであってよい。
【００２９】
すなわち記憶手段には、利用者の設定により任意の下降長さに対応する電気信号を記憶させることができる。利用者のパネル操作などによって、記憶された量だけシェード部材３を下降駆動する。シェード部材３の下降長さは、駆動軸４の回転数などに対応する電気信号として、記憶手段に書き換え可能に記憶される。
【００３０】
利用者が、シェード部材３を巻き取りおよび巻き出しを行う操作や、シェード部材３の液晶シャッター２０を電気的に切り替える操作、シェード部材３の収納部２からの下降長さを記憶手段に設定する操作は、収納部２に設けた操作パネルで利用者が行ってもよい。あるいは、別途に室内等に操作パネルを設置して、無線もしくは有線によって行ってもよい。
【００３１】
以上の構成を備えた本実施形態の日除け装置１は、次のように使用される。
【００３２】
夏場などの日射が強い時には、外部から室内への光や熱を遮蔽するために、利用者のスイッチ操作などによって、シェード部材３を遮光状態での防護姿勢に切り換えることでベランダ３０の腰壁３２と天井部３３との間の開口部３４が閉塞される。
【００３３】
まず、利用者のパネル操作による入力信号が制御手段１０に入力される。制御手段１０は、駆動軸４のモータに信号を出力し、するとモータによって駆動軸４が回転し、シェード部材３を巻き出して収納部２から下降させる。より具体的には、日除け装置１は、前述のとおりシェード部材３の収納部２からの下降長さを設定可能な記憶手段を備えている。制御手段１０は、利用者のパネル操作によって、記憶手段に設定された下降長さの分だけシェード部材３を巻き出すように駆動軸４のモータに信号を出力する。記憶手段に設定されたとおりに回転した後、制御手段１０は駆動軸４のモータを停止する。
【００３４】
このとき、図２（ｂ）および図３（ｂ）に示すように、利用者のパネル操作によって、シェード部材３の液晶シャッター２０は、外光１５を散乱させる散乱状態とし、外光１５を遮る遮光状態へ電気的に切り替えられている。外光１５は、屋外側の面の液晶シャッター２０で散乱され、その散乱光の幾らかは透過して、プリズム２２によって屈折または反射されて室内に導かれる。すなわち、外光１５が僅かに室内へ漏れ出すような遮光状態となる。これにより、外部からの光や熱は室内に取り込まれずに遮断することができる。
【００３５】
その後、日射が弱くなった場合には、シェード部材３を収納姿勢に切り換えることでベランダ３０の腰壁３２と天井部３３との間の開口部３４が開放される。
【００３６】
まず、利用者のパネル操作による入力信号が制御手段１０に入力される。制御手段１０は、駆動軸４のモータに信号を出力し、するとモータによって駆動軸４が回転し、シェード部材３を巻き取り収納部２へ収納させる。より具体的には、制御手段１０は、前述の記憶手段に設定された下降長さの分だけシェード部材３を巻き取るように駆動軸４のモータに信号を出力する。記憶手段に設定されたとおりに回転した後、制御手段１０は駆動軸４のモータを停止する。
【００３７】
一方、冬場などの日射が弱い時には、外部から室内へ光や熱を採光するために、利用者のパネル操作によって、シェード部材３を採光状態での防護姿勢に切り換えることでベランダ３０の腰壁３２と天井部３３との間の開口部３４が閉塞される。
【００３８】
すなわち、利用者のパネル操作によって、液晶シャッター２０の電気的な切り替えを行い、図２（ａ）および図３（ａ）に示すように、外光１５を透過させる透過状態とし、外光１５を屈折または反射させ室内に導く採光状態とすることができる。このとき外光１５は、屋外側の面の液晶シャッター２０を透過し、プリズム２２によって屈折または反射されて室内に導かれる。これにより、外部からの光や熱を室内に取り込むことができる。
【００３９】
その後、天候の変化や日没などに応じて、シェード部材３を収納姿勢に切り換えることでベランダ３０の腰壁３２と天井部３３との間の開口部３４が開放される。
【００４０】
本実施形態の日除け装置１は、シェード部材３が、紫外線カット、赤外線カット、またはその両方の機能を有してもよい。
【００４１】
紫外線カットは、シェード部材３に紫外線カットフィルムを積層したり、液晶シャッター２０等に紫外線吸収剤を添加したりすることで行うことができる。これにより、室内に入り込む外光１５のうち紫外線をカットすることができ、室内の居住者に曝露される紫外線量を低減して、紫外線による健康面等の人体への悪影響を低減できる。
【００４２】
赤外線カットは、シェード部材３に赤外線カットフィルムを積層することで行うことができる。これにより、室内に入り込む外光１５のうち赤外線をカットすることができ、室内へ光のみ取り込んで遮熱効果を保ったまま採光することが可能である。
【００４３】
本実施形態の日除け装置１は、次のような構成としてもよい。すなわち、日射量を検知する日射量検知手段を備え、制御手段１０は、日射量検知手段が検知した日射量に応じて、遮光状態と採光状態とを切り替える構成としてもよい。
【００４４】
日射量検知手段としては、日射量を検知可能なセンサであれば特に制限はなく、収納部２に設置することができる。
【００４５】
例えば、日射量に対するしきい値が設定データとしてＲＯＭに予め記憶される。ＣＰＵは、シェード部材３が収納部２から巻き出されている場合に、日射量検知手段の出力が示す日射量としきい値とを適時比較する。
【００４６】
日射量がしきい値以下であれば、ＣＰＵは、図２（ａ）および図３（ａ）に示すように、外光１５を透過させる透過状態とし、外光１５を屈折または反射させ室内に導く採光状態とするように、液晶シャッター２０の電気的な切り替えが必要か否かを判定する。液晶シャッター２０が、図２（ｂ）および図３（ｂ）に示すように、外光１５を遮る遮光状態となっている場合には、液晶シャッター２０の電気的な切り替えが必要と判定する。この判定に基づいて図２（ａ）および図３（ａ）に示す採光状態とすることによって、外部からの光や熱を室内に取り込むことができる。一方、液晶シャッター２０が、図２（ａ）および図３（ａ）に示す採光状態である場合には、液晶シャッター２０の電気的な切り替えは必要ないと判定する。
【００４７】
日射量がしきい値を超える場合には、ＣＰＵは、図２（ｂ）および図３（ｂ）に示すように、外光１５を遮る遮光状態とするように、液晶シャッター２０の電気的な切り替えが必要か否かを判定する。液晶シャッター２０が、図２（ａ）および図３（ａ）に示す採光状態となっている場合には、液晶シャッター２０の電気的な切り替えが必要と判定する。この判定に基づいて、図２（ｂ）および図３（ｂ）に示す遮光状態とすることによって、外部からの光や熱を遮断することができる。液晶シャッター２０が、図２（ｂ）および図３（ｂ）に示す遮光状態である場合には、液晶シャッター２０の電気的な切り替えは必要ないと判定する。
【００４８】
このように日除け装置１に日射量検知手段を設けることで、天候に応じた自動的な遮光と採光が可能である。
【００４９】
以上に説明した本実施形態の日除け装置１によれば、シェード部材３が、外光１５を遮る遮光状態と、外光１５を屈折または反射させ室内に導く採光状態とを切り替え可能であるため、年間を通して室内における外部からの光と熱を快適に保つことができる。
【００５０】
また、シェード部材３が、紫外線カット、赤外線カット、またはその両方の機能を有していると、紫外線や赤外線をカットし必要な光のみを採光することで、室内への紫外線量を低減したり、遮熱効果を保ったまま採光したりすることが可能である。これにより、シェード部材３を採光状態に適したものとすることができ、年間を通して室内における外部からの光と熱を快適に保つことができる。
【００５１】
また、日射量を検知する日射量検知手段を備え、制御手段１０は、日射量検知手段が検知した日射量に応じて、遮光状態と採光状態とを切り替える構成とすることで、日射量に応じた自動的な遮光と採光が可能である。
（第２実施形態）
図４は、本発明の別の実施形態を示す。なお、前述の実施形態と同一の部分には同一符号を付して詳細な説明を省略する。
【００５２】
本実施形態では、シェード部材３として、図３の散乱式の液晶シャッター２０に代えて遮光式の液晶シャッター２１を用いている。
【００５３】
シェード部材３は図４に示すように、液晶シャッター２１と、プリズム２２とを備えている。
【００５４】
液晶シャッター２１とプリズム２２のシートは、液晶シャッター２１が屋外側の面、プリズム２２のシートが屋内側の面となるように、これらが貼り合わせられてシェード部材３を構成している。
【００５５】
シェード部材３は、液晶シャッター２１の電気的な切り替えによって、図４（ａ）に示すように、外光１５を透過させる透過状態とし、外光１５を屈折または反射させ室内に導く採光状態とすることができる。このとき外光１５は、屋外側の面の液晶シャッター２１を透過し、プリズム２２によって屈折または反射されて室内に導かれる。これにより、外部からの光や熱を室内に取り込むことができる。
【００５６】
またシェード部材３は、液晶シャッター２１の電気的な切り替えによって、図４（ｂ）に示すように、外光１５を遮る遮光状態とすることができる。このとき外光１５は、屋外側の面の液晶シャッター２１で遮光され、外部からの光や熱は室内に取り込まれずに遮断することができる。
【００５７】
以上に説明した本実施形態の日除け装置１によれば、シェード部材３が、外光１５を遮る遮光状態と、外光１５を屈折または反射させ室内に導く採光状態とを切り替え可能であるため、年間を通して室内における外部からの光と熱を快適に保つことができる。
（第３実施形態）
図５は、本発明の別の実施形態を示す。なお、前述の実施形態と同一の部分には同一符号を付して詳細な説明を省略する。
【００５８】
本実施形態では、シェード部材３は、鏡面２５ａまたは散乱面２５ｂを有する複数個のルーバー２５を備え、ルーバー２５の角度を調節することで、遮光状態と採光状態とを切り替えている。
【００５９】
図５（ａ）、（ｂ）は、ルーバー２５の片面に鏡面２５ａを有する場合を示している。図５（ｃ）、（ｄ）は、ルーバー２５の片面に散乱面２５ｂを有する場合を示している。
【００６０】
本実施形態の日除け装置１は、次のように使用される。夏場などの日射が強い時には、外部から室内への光や熱を遮蔽するために、利用者のパネル操作によって、シェード部材３を遮光状態での防護姿勢に切り換えることでベランダ３０の腰壁３２と天井部３３との間の開口部３４が閉塞される。
【００６１】
まず、操作者のパネル操作によって入力信号が制御手段１０に入力される。制御手段１０は、駆動軸４のモータに信号を出力し、するとモータによって駆動軸４が回転し、シェード部材３を巻き出して収納部２から下降させる。より具体的には、日除け装置１は、前述のとおりシェード部材３の収納部２からの下降長さを設定可能な記憶手段を備えている。制御手段１０は、利用者のスイッチ操作などによって、記憶手段に設定された下降長さの分だけシェード部材３を巻き出すように駆動軸４のモータに信号を出力する。記憶手段に設定されたとおりに回転した後、制御手段１０は駆動軸４のモータを停止する。
【００６２】
このとき、図５（ｂ）、（ｄ）に示すように、利用者のパネル操作によって、シェード部材３のルーバー２５の角度を調節し、外光１５を遮る遮光状態へ切り替えられている。図５（ｂ）では鏡面２５ａを屋内側にしてシェード部材３の面に近い角度までルーバー２５を傾け、図５（ｄ）では散乱面２５ｂを屋外側にしてシェード部材３の面に近い角度までルーバー２５を傾けている。これにより、外部からの光や熱は室内に取り込まれずに遮断することができる。
【００６３】
その後、日射が弱くなった場合には、シェード部材３を収納姿勢に切り換えることでベランダ３０の腰壁３２と天井部３３との間の開口部３４が開放される。
【００６４】
一方、冬場などの日射が弱い時には、外部から室内へ光や熱を採光するために、利用者のパネル操作によって、シェード部材３を採光状態での防護姿勢に切り換えることでベランダ３０の腰壁３２と天井部３３との間の開口部３４が閉塞される。
【００６５】
すなわち、図５（ａ）、（ｃ）に示すように、利用者のパネル操作によって、シェード部材３のルーバー２５の角度を調節し、外光１５を透過させる透過状態とし、外光１５を屈折または反射させ室内に導く採光状態とすることができる。図５（ａ）では鏡面２５ａを上側にしてシェード部材３の面と垂直に近い角度までルーバー２５を傾け、図５（ｃ）では散乱面２５ｂを上側にしてシェード部材３の面と垂直に近い角度までルーバー２５を傾けている。このとき外光１５は、図５（ａ）のようにルーバー２５の鏡面２５ａで反射され、あるいは図５（ｂ）のように散乱面２５ｂで散乱されて、室内に導かれる。これにより、外部からの光や熱を室内に取り込むことができる。
【００６６】
その後、天候の変化や日没などに応じて、シェード部材３を収納姿勢に切り換えることで、ベランダ３０の腰壁３２と天井部３３との間の開口部３４が開放される。
【００６７】
以上に説明した本実施形態の日除け装置１によれば、ルーバー２５を有するシェード部材３が、外光１５を遮る遮光状態と、外光１５を屈折または反射させ室内に導く採光状態とを切り替え可能である。そのため、年間を通して室内における外部からの光と熱を快適に保つことができる。
（第４実施形態）
図６および図７は、本発明の別の実施形態を示す。なお、前述の実施形態と同一の部分には同一符号を付して詳細な説明を省略する。
【００６８】
本実施形態では、シェード部材３として、外光１５を遮る遮光状態とするための第１シェード部材３ａと、外光１５を屈折または反射させ室内に導く採光状態とするための第２シェード部材３ｂとを備えている。日除け装置１は、第１シェード部材３ａを収納部２から巻き出した遮光状態と、第２シェード部材３ｂを収納部２から巻き出した採光状態とを切り替える。
【００６９】
図６において、１つの収納部２に、第１シェード部材３ａの一方の駆動軸４と、第２シェード部材３ｂの他方の駆動軸４とを収納して隣接配置している。
【００７０】
本実施形態の日除け装置１は、次のように使用される。夏場などの日射が強い時には、外部から室内への光や熱を遮蔽するために、利用者のパネル操作によって、図６（ｂ）に示すように、第１シェード部材３ａを一方の収納部２から巻き出す。これにより遮光状態での防護姿勢に切り換えることで、ベランダ３０の腰壁３２と天井部３３との間の開口部３４が閉塞される。その操作は前述したとおりである。第２シェード部材３ｂは、他方の収納部２に収納した状態となっている。これにより、外部からの光や熱は室内に取り込まれずに遮断することができる。
【００７１】
その後、日射が弱くなった場合には、第１シェード部材３ａを収納姿勢に切り換えることでベランダ３０の腰壁３２と天井部３３との間の開口部３４が開放される。
【００７２】
一方、冬場などの日射が弱い時には、外部から室内へ光や熱を採光するために、利用者のパネル操作によって、図６（ａ）に示すように、第２シェード部材３ｂを収納部２から巻き出す。これにより採光状態での防護姿勢に切り換えることでベランダ３０の腰壁３２と天井部３３との間の開口部３４が閉塞される。その操作は前述したとおりである。第１シェード部材３ａは、収納部２に収納した状態となっている。これにより、外部からの光や熱を室内に取り込むことができる。
【００７３】
その後、天候の変化や日没などに応じて、シェード部材３を収納姿勢に切り換えることでベランダ３０の腰壁３２と天井部３３との間の開口部３４が開放される。
【００７４】
図７は、第１シェード部材３ａと第２シェード部材３ｂを、駆動軸４の巻き出し方向において連続的に設けてシェード部材３を構成している。
【００７５】
また本実施形態では、ベランダ３０の天井部３３に、その外縁端に沿って設置した収納部２と、さらにベランダ３０の床面における収納部２の下方に、収納部７が設置されている。収納部７の内部には、シェード部材３を巻き取りおよび巻き出し可能な駆動軸８が設置されている。
【００７６】
この場合、夏場などの日射が強い時には、利用者のパネル操作によって、図７（ｂ）に示すように、シェード部材３を収納部２から巻き出して、第１シェード部材３ａの領域がベランダ３０の開口部３４へ露出するように駆動軸４を制御する。これにより、外部から室内への光や熱を遮蔽することができる。
【００７７】
また、冬場などの日射が弱い時には、利用者のパネル操作によって、図７（ａ）に示すように、シェード部材３を収納部２から巻き出して、第２シェード部材３ｂの領域がベランダ３０の開口部３４へ露出するように駆動軸４を制御する。これにより、外部から室内へ光や熱を採光することができる。
【００７８】
必要に応じて、ベランダ３０の床面における収納部２の下方に設置された収納部７にはシェード部材３の下流側が、駆動軸８に巻き取られ収納される。
【００７９】
なお、以上の図６および図７において、第２シェード部材３ｂに加えて、外光１５を屈折または反射させ室内に導く採光状態とするためのシェード部材を１つまたは複数使用し、それらの駆動軸４，４，…を隣接して配置するようにしてもよい。この場合、各シェード部材間における採光状態や、紫外線カット、赤外線カットの機能を変更することができる。
【００８０】
以上に説明した本実施形態の日除け装置１によれば、シェード部材３が、外光１５を遮る遮光状態とするための第１シェード部材３aと、外光１５を屈折または反射させ室内に導く採光状態とするための第２シェード部材３ｂとを備えている。これにより、シェード部材３が、外光１５を遮る遮光状態と、外光１５を屈折または反射させ室内に導く採光状態とを切り替え可能であるため、年間を通して室内における外部からの光と熱を快適に保つことができる。
【００８１】
なお、本発明の日除け装置１は、以上に説明した各実施形態に限定されるものではない。例えば、以上の実施形態ではベランダ３０の天井部３３に収納部２を設置する場合について説明したが、これに限らず、軒先に収納部２を設置し、軒下を日除け装置１によって保護することもできる。
【符号の説明】
【００８２】
１      日除け装置
２      収納部
３      シェード部材
３ａ    第１シェード部材
３ｂ    第２シェード部材
４      駆動軸
１０    制御手段
１５    外光
２５    ルーバー
３０    ベランダ
３３    天井部
【図１】
2017053104.tif 000003
【図２】
2017053104.tif 000004
【図３】
2017053104.tif 000005
【図４】
2017053104.tif 000006
【図５】
2017053104.tif 000007
【図６】
2017053104.tif 000008
【図７】
2017053104.tif 000009